(57)【要約】      （修正有）【課題】容易に三角柱状または四角柱状に組み立てることができ、また、元通り平面に展開でき、卓上名札の利便性を向上する折り目入り用紙を提供する。【解決手段】平面の紙に折り目２〜６の折り目加工を施し、同時に、差し込み口のメスとなる部分がオスとなる部分より大きくなるように、点８と点１０間よりも点９と点１１間の長さを短くし、折り目２と折り目３に傾斜角度を設ける。容易に三角柱状に組み立てることができ、また、元通り平面に展開できる用紙となる。同様に、折り目を適当に追加すれば、四角柱状に組み立てることができる用紙となる。どちらの場合も、平面状にできることから容積が少なく、また、素材が紙だけであるので重量も軽く、安価である。運搬、保管、価格の面で利便性が向上した卓上名札として使用できる。【選択図】図１
0003218855.tif 000002
【実用新案登録請求の範囲】
【請求項１】
三角柱状または四角柱状に組み立てできるように、平面の紙に折り目加工を施し、紙に記載された事柄を立体的に表示できることを特徴とする折り目入り用紙。
【請求項２】
三角柱状または四角柱状へ用紙を組み立てる際に、接合部分の差し込みを容易にするために、折り目に傾斜角度を設けたことを特徴とする折り目入り用紙。
【考案の詳細な説明】
【技術分野】
【０００１】  本考案は、名称などを表示するためのスタンドとして、三角柱状または四角柱状に、立体的に組み立て易いように折り目加工を施した、折り目入り用紙の構造に関するものである。
【背景技術】
【０００２】  会議等において、出席者の名前や役割などを表示する目的で、卓上に使われていた名札は、あらかじめ刻印されたものや、紙を挟み込んで使用する、プラスチックや木で作られたものであった。
【考案の概要】
【考案が解決しようとする課題】
【０００３】  従来の卓上名札では、運搬と保管において、容積的、重量的に負担である。また、プラスチックや木で作られたものは、素材にかかる分だけでも相応のコストが負担となる。
【課題を解決するための手段】
【０００４】  本考案は、折り目加工に沿った折り作業と、立体的構造を維持するための紙の摩擦力を利用した接合作業のみで、紙を三角柱状または四角柱状に組み立てることができるように、あらかじめ平面の紙に折り目加工を施す。素材は紙だけであることと、容易に組み立てまたは展開できることで、問題点を解決している。【０００５】  本考案は、接合作業をより容易にするために、差し込み口のメスとなる部分がオスとなる部分より大きくなるように、折り目に傾斜角度を設ける。
【考案の効果】
【０００６】  使用前は折り目加工が施された平面の用紙であるので、一般のプリンターで表示させたい事柄を印刷することができる。また、用紙自体が容易に卓上名札となるので、組み立てる時には、他に特別な道具や素材を必要としない。素材が紙だけであるので、組み立て前には、用紙の大きさと厚さの分だけの省容積と省重量で運搬と保管をすることができる。また、使用後も展開して平面に戻すことで、同様の効果を得られる。また、素材にかかるコストの面で、紙は比較的安価である。
【図面の簡単な説明】
【０００７】
【図１】本考案の卓上名札用紙の一実施例を示す上面図である
【図２】本用紙に施された折り目加工部分の断面図である
【図３】一実施例の一使用方法の手順を示すための上面図である
【図４】一実施例の一使用方法の手順を示すための斜視図である
【図５】一実施例の一使用方法の手順を示すための斜視図である
【図６】一実施例の一使用方法の手順を示すための斜視図である
【図７】一実施例の一使用方法の手順を示すための斜視図である
【図８】一実施例の一使用方法を示すための斜視図である
【図９】一実施例の一使用方法を示すための斜視図である
【図１０】本考案の卓上名札用紙の一実施例を示す上面図である
【考案を実施するための形態】
【０００８】  本考案に係る一実施例として、図１は三角柱状で使用する場合で、図１０は四角柱状で使用する場合を示す。図１では左右方向に平行に３本と前後方向に２本の、図１０では左右方向に平行に４本と前後方向に２本の、折り目加工を平面の紙にそれぞれ施してある。表示させたい事柄を印刷または書き込んだあと、組み立てて使用する。
【０００９】  接合作業をより容易にするために、差し込み口のメスとなる部分がオスとなる部分より大きくなるように、図１と図１０では、前後方向に２本ある折り目加工が逆ハの字になるように傾斜角度を設けてある。
【実施例】
【００１０】  以下、図１で示す一実施例を説明する。１は紙製の卓上名札用紙本体である。２，３，４，５，６は１を表面から山折りしやすいように、裏面から押し罫などで、図２にある断面図のように加工された折り目である。このことにより組み立てのための折り作業を容易にすることができる。【００１１】  ８，９は折り目２の終点、１０，１１は折り目３の終点である。点８と点１０間よりも点９と点１１間の長さが短くなるように、折り目２と折り目３には傾斜角度を設けてある。このことにより、図６と図７での接合部分の差し込み作業を容易にすることができる。【００１２】  以下、図１で示す一実施例の一使用方法の手順を添付図面に従って説明する。図３のように、折り目２，３，４，６で囲まれた部分の表面に、表示させたい事柄を、プリンターなどを用いて描写する。図３では例示的に「お名前」と描写してある。【００１３】  次に、図４のように折り目２と折り目３を表面から山折りに折り込む。【００１４】  次に、図５のように折り目４と折り目５と折り目６を表面から山折りにする。【００１５】  次に、図６のように、矢印の方向に、点９が、面１３より上に、かつ、面１２より下に、かつ、点８より本体内側に入り込むように差し込む。【００１６】  左右反対側も同様に、図７のように、矢印の方向に、点１１が面１３より上に、かつ、面１４より下に、かつ、点１０より本体内側に入り込むように差し込む。【００１７】  以上のように、描写と組み立てをすることによって、描写された事柄を図８のように、立体的に表示することができる。【００１８】  また、描写方向を変えることで、図９のように垂直に立てて表示することもできる。【００１９】  図１０で示す一実施例のように、折り目４、５、６を適当に配置し、折り目７を追加することで、上記の三角柱状のときと同様に、四角柱状にすることができる。
【産業上の利用可能性】
【００２０】  卓上名札用紙をプリンター用紙として販売することで、ユーザーは任意にプリントし、手軽に卓上名札を作ることができる。
【符号の説明】
【００２１】    １    卓上名札用紙本体
２    折り目
３    折り目
４    折り目
５    折り目
６    折り目
７    折り目
８    折り目２の終点
９    折り目２の終点
１０  折り目３の終点
１１  折り目３の終点
１２  折り目２と折り目４で囲まれた面
１３  折り目２と折り目３と折り目４で囲まれた面
１４  折り目３と折り目４で囲まれた面
１５  卓上名刺用紙本体の表面
１６  卓上名刺用紙本体の裏面
【図１】
0003218855.tif 000003
【図２】
0003218855.tif 000004
【図３】
0003218855.tif 000005
【図４】
0003218855.tif 000006
【図５】
0003218855.tif 000007
【図６】
0003218855.tif 000008
【図７】
0003218855.tif 000009
【図８】
0003218855.tif 000010
【図９】
0003218855.tif 000011
【図１０】
0003218855.tif 000012
【手続補正書】
【提出日】平成30年8月29日(2018.8.29)
【手続補正１】
【補正対象書類名】実用新案登録請求の範囲
【補正対象項目名】全文
【補正方法】変更
【補正の内容】
【実用新案登録請求の範囲】
【請求項１】
平面で長方形の紙に、その紙の縁である一辺と平行に、紙端から紙端まで直線の折り目加工が３本または４本施され、さらに、これらの折り目加工と直交するように、紙端から紙端まで直線の折り目加工が２本施された構造の折り目入り用紙であって、３本または４本施された折り目加工と平行な紙の縁である二辺のうち、いずれか一辺を上底とし、上底の対辺にあたる紙の縁を下底とし、左の上下方向の紙の縁を左脚とし、左脚の対辺にあたる紙の縁を右脚として捉えて見たときに、左右方向の３本または４本の折り目加工の上下位置は、３本または４本それぞれの場合で見たときに、上底と上底から１本目の折り目加工との距離に下底と下底から１本目の折り目加工との距離を足した距離と、上下に隣り合う左右方向の折り目加工間の距離それぞれすべてが、いずれも上底から下底までの距離の半分より短くなるような上下位置であるいという条件を満たし、上下方向の折り目加工の左右位置は、左脚と左脚から１本目の折り目加工との距離と、右脚と右脚から１本目の折り目加工との距離のいずれもが、左脚から１本目の折り目加工と右脚から１本目の折り目加工との距離より短くなるような左右位置であるいという条件を満たした折り目入り用紙。
【請求項２】
請求項１に記載の折り目入り用紙において、３本または４本施された折り目加工と平行な紙の縁である二辺のうち、いずれか一辺を上底とし、上底の対辺にあたる紙の縁を下底とし、左の上下方向の紙の縁を左脚とし、左脚の対辺にあたる紙の縁を右脚として捉えて見たときに、左右方向の３本または４本の折り目加工と直交させるはずの上下方向の２本の折り目加工を、あえて直交させずに、相対的に平行ではなく逆ハの字となるように傾斜させた２本の折り目加工が上底から下底まで施された構造の折り目入り用紙であって、傾斜させた折り目加工の左右位置は、下底の線上で比べたときに、左脚と左脚から１本目の折り目加工との距離と、右脚と右脚から１本目の折り目加工との距離のいずれもが、左脚から１本目の折り目加工と右脚から１本目の折り目加工との距離より短くなるような左右位置であるという条件を満たし、傾斜させる角度は、傾斜させた折り目加工それぞれで見たときに、傾斜させた折り目加工と下底との交点を通り下底と垂直な直線と上底との交点が、傾斜させた折り目加工に沿って紙を１８０度折りこんだときに、折りこんだ面と重なるような角度であるという条件を満たし、なおかつ、下底と下底から１本目の左右方向の折り目加工との距離が、傾斜させた折り目加工に沿って紙を１８０度折りこんだときに、元の上底の線上から上方向に突き出る紙の三角形部分の上下方向の高さより長くなるような角度であるという条件を満たした折り目入り用紙。